(57)【特許請求の範囲】
【請求項１】
デスクトップの何れか１つのアイコンがクリックされることを検出したとき、バッファ領域を設立し、前記デスクトップの第１の予定領域を整理しようとするアイコンの表示領域として設置し、
ユーザが選択した少なくとも１つのアイコンを、整理しようとするアイコンとして標記して前記バッファ領域に保存し、前記第１の予定領域に表示させるステップと、
予定イベントがトリガされるとき、前記バッファ領域に保存される全ての整理しようとするアイコンの個数を表示させ、前記バッファ領域に保存される全ての整理しようとするアイコンを目標アイコンとし、
前記目標アイコンがクリックされるとき、前記目標アイコンをユーザのアイコン選択順次により前記デスクトップの空き位置に１つずつ充填し、
前記目標アイコンが予定時間よりも長く押圧されるとき、前記デスクトップの第２の予定領域を削除ツールの表示領域として表示させ、前記目標アイコンが前記第２の予定領域にドラッグされるとき、前記目標アイコンを削除し、前記目標アイコンに対応するアプリケーションをアンインストールし、
前記目標アイコンは前記デスクトップ上にアイコンが放置されている領域にドラッグされるとき、前記アイコンが放置されている領域に予定名を有するフォルダを生成し、前記放置されているアイコン及び前記目標アイコンを前記予定名を有するフォルダに放置し、
前記目標アイコンは前記デスクトップにおいてアイコンが放置されていない領域にドラッグされるとき、前記目標アイコンを前記ドラッグされる位置に充填し、或いは、前記アイコンを前記ドラッグされる位置に挿入して押し分けることで充填するステップと
を備えることを特徴とするアイコン整理方法。
【請求項２】
前記バッファ領域を設立する前に、
前記デスクトップを編集状態に入らせ、前記デスクトップの前記第１の予定領域をユーザの選択のためのプラグイン選択領域として設置するステップをさらに備えることを特徴とする請求項１に記載のアイコン整理方法。
【請求項３】
前記ユーザが選択した少なくとも１つのアイコンを、整理しようとするアイコンとして標記して前記バッファ領域に保存し、前記第１の予定領域に表示させることは、
ユーザのアイコン選択順次によりユーザが選択した少なくとも１つのアイコンを整理しようとするアイコンとして標記して前記バッファ領域に保存し、前記ユーザのアイコン選択順次により前記ユーザが選択した少なくとも１つのアイコンを前記第１の予定領域に表示させることを特徴とする請求項１に記載のアイコン整理方法。
【請求項４】
ユーザが選択したアイコンはフォルダアイコンである場合、前記ユーザが選択したアイコンを整理しようとするアイコンとして標記して前記バッファ領域に保存することは、
前記フォルダにおける全てのアイコンを表示させ、ユーザが選択した前記フォルダにおける少なくとも１つのアイコンを整理しようとするアイコンとして標記して前記バッファ領域に保存することを特徴とする請求項１に記載のアイコン整理方法。
【請求項５】
前記ユーザが選択した前記フォルダにおける少なくとも１つのアイコンを整理しようとするアイコンとして標記して前記バッファ領域に保存した後、
前記フォルダの表示領域において前記全てのアイコンの表示領域及びフォルダタイトル以外がクリックされたことを検出したとき、前記フォルダを閉じるステップをさらに備えることを特徴とする請求項４に記載のアイコン整理方法。
【請求項６】
前記ユーザからの整理指令により前記バッファ領域における整理しようとするアイコンに対して前記整理指令に対応する整理操作を実行することは、
前記第１の予定領域における整理しようとするアイコンがクリックされるとき、前記クリックされるアイコンを目標アイコンとして前記デスクトップにおける第１の个空き位置に放置することを特徴とする請求項３に記載のアイコン整理方法。
【請求項７】
前記ユーザからの整理指令により前記バッファ領域における整理しようとするアイコンに対して前記整理指令に対応する整理操作を実行することは、
前記第１の予定領域における何れか１つの整理しようとするアイコンが予定時間よりも長く押圧されるとき、前記予定時間よりも長く押圧される整理しようとするアイコンを目標アイコンとして、前記デスクトップの第２の予定領域を削除ツールの表示領域として設置し、
前記目標アイコンが前記第２の予定領域にドラッグされる場合、前記目標アイコンを削除するとともに、前記目標アイコンに対応するアプリケーションをアンインストールし、
前記目標アイコンが前記デスクトップにおいてアイコンが放置されていない位置にドラッグされるとき、前記目標アイコンを前記ドラッグされる位置に充填し、或いは、前記アイコンを挿入して押し分けることで前記ドラッグされる位置に充填し、
前記目標アイコンが前記デスクトップ上にアイコンが放置されている領域にドラッグされるとき、前記アイコンが放置されている領域に予定名を有するフォルダを生成し、前記放置されているアイコン及び前記目標アイコンを前記予定名を有するフォルダに放置することを特徴とする請求項１に記載のアイコン整理方法。
【請求項８】
前記目標アイコンをユーザのアイコン選択順次により前記デスクトップの空き位置に１つずつ充填することは、
前記デスクトップ上の空き位置が足りるか否かを判定し、
前記デスクトップ上の空き位置が足りる場合、前記目標アイコンをユーザのアイコン選択順次により前記デスクトップの空き位置に１つずつ充填し、
前記デスクトップ上の空き位置が足りる場合、前記空き位置の個数及びユーザのアイコン選択順次により前記目標アイコンから充填アイコンを確定し、前記充填アイコンを前記ユーザのアイコン選択順次により前記デスクトップの空き位置に１つずつ充填することを特徴とする請求項１に記載のアイコン整理方法。
【請求項９】
前記予定イベントは、前記第１の予定領域にて２つのタッチポイントの相対移動イベント、或いは、前記第１の予定領域にて１つのタッチポイントの一方向移動イベントであることを特徴とする請求項１に記載のアイコン整理方法。
【請求項１０】
前記ユーザからの整理指令により前記バッファ領域における整理しようとするアイコンに対して前記整理指令に対応する整理操作を実行した後、
前記バッファ領域において前記整理操作を完了した整理しようとするアイコンを削除するステップをさらに備えることを特徴とする請求項１〜９の何れか１項に記載のアイコン整理方法。
【請求項１１】
バッファ領域を設立する設立モジュールと、
ユーザが選択したアイコンを整理しようとするアイコンとして標記して前記バッファ領域に保存する標記モジュールと、
ユーザからの整理指令により前記バッファ領域における整理しようとするアイコンに対して前記整理指令に対応する整理操作を実行する整理モジュールと、を備え、
前記標記モジュールは、
デスクトップ上の何れか１つのアイコンがクリックされたことを検出した場合、前記バッファ領域を設立し、前記デスクトップの第１の予定領域を前記整理しようとするアイコンの表示領域として設置する設立ユニットと、
ユーザが選択した少なくとも１つのアイコンを整理しようとするアイコンとして標記して前記バッファ領域に保存し、前記第１の予定領域に表示させる表示ユニットと、を備え、
前記整理モジュールは、
予定イベントがトリガされる場合、前記バッファ領域に保存される全ての整理しようとするアイコンの個数を表示させ、前記バッファ領域に保存される全ての整理しようとするアイコンを目標アイコンとする第２のトリガユニットと、
前記目標アイコンがクリックされる場合、前記目標アイコンをユーザのアイコン選択順次により前記デスクトップの空き位置に１つずつ充填する第４の整理ユニットと、
前記目標アイコンが予定時間よりも長く押圧される場合、前記デスクトップの第２の予定領域を削除ツールの表示領域として設置し、前記目標アイコンが前記第２の予定領域にドラッグされると、前記目標アイコンを削除するとともに、前記目標アイコンに対応するアプリケーションをアンインストールする第５の整理ユニットと、
前記目標アイコンは前記デスクトップ上にアイコンが放置されている領域にドラッグされる場合、前記アイコンが放置されている領域に予定名を有するフォルダを生成し、前記放置されているアイコン及び前記目標アイコンを前記予定名を有するフォルダに放置する第６の整理ユニットと、
前記目標アイコンは前記デスクトップにおいてアイコンが放置されていない領域にドラッグされる場合、前記目標アイコンを前記ドラッグされる位置に充填し、或いは、前記アイコンを前記ドラッグされる位置に挿入して押し分けることで充填する第７の整理ユニットと、を備えることを特徴とするアイコン整理装置。
【請求項１２】
前記設立モジュールによりバッファ領域を設立する前に、デスクトップを編集状態に入らせ、前記デスクトップの第１の予定領域をユーザの選択のためのプラグイン選択領域として設置する編集入りモジュールをさらに備えることを特徴とする請求項１１に記載のアイコン整理装置。
【請求項１３】
前記表示ユニットは、
ユーザのアイコン選択順次によりユーザが選択した少なくとも１つのアイコンを整理しようとするアイコンとして標記して前記バッファ領域に保存し、前記ユーザのアイコン選択順次により前記ユーザが選択した少なくとも１つのアイコンを前記第１の予定領域に表示させる第１の操作ユニットを備えることを特徴とする請求項１１に記載のアイコン整理装置。
【請求項１４】
ユーザが選択したアイコンはフォルダアイコンである場合、前記ユーザが選択したアイコンを整理しようとするアイコンとして標記して前記バッファ領域に保存することは、
前記フォルダにおける全てのアイコンを表示させ、ユーザが選択した前記フォルダにおける少なくとも１つのアイコンを整理しようとするアイコンとして標記して前記バッファ領域に保存することを特徴とする請求項１２に記載のアイコン整理装置。
【請求項１５】
前記装置は、
前記標記モジュールにおいてユーザが選択した前記フォルダにおける少なくとも１つのアイコン標記を整理しようとするアイコンとして標記して前記バッファ領域に保存した後、前記フォルダの表示領域において前記全てのアイコンの表示領域及びフォルダタイトル以外がクリックされる場合、前記フォルダを閉じる閉じモジュールをさらに備えることを特徴とする請求項１４に記載のアイコン整理装置。
【請求項１６】
前記整理モジュールは、前記第１の予定領域における整理しようとするアイコンがクリックされる場合、前記クリックされるアイコンを目標アイコンとして前記デスクトップにおける第１の个空き位置に放置するものであることを特徴とする請求項１１に記載のアイコン整理装置。
【請求項１７】
前記整理モジュールは、
前記第１の予定領域における何れか１つの整理しようとするアイコンが予定時間よりも長く押圧される場合、前記予定時間よりも長く押圧される整理しようとするアイコンを目標アイコンとして、前記デスクトップにおける第２の予定領域を削除ツールの表示領域として設置する第１のトリガユニットと、
前記目標アイコンが前記第２の予定領域にドラッグされる場合、前記目標アイコンを削除するとともに、前記目標アイコンに対応するアプリケーションをアンインストールする第１の整理ユニットと、
前記目標アイコンが前記デスクトップにおいてアイコンが放置されていない位置にドラッグされる場合、前記ドラッグされる位置に前記目標アイコンを充填し、或いは、挿入して押し分けることで前記ドラッグされる位置に前記アイコンを充填する第２の整理ユニットと、
前記目標アイコンが前記デスクトップにアイコンが放置されている領域にドラッグされる場合、前記アイコンが放置されている領域に予定名を有するフォルダを生成し、前記放置されているアイコン及び前記目標アイコンを前記予定名を有するフォルダに放置する第３の整理ユニットと、を備えることを特徴とする請求項１１に記載のアイコン整理装置。
【請求項１８】
前記目標アイコンをユーザのアイコン選択順次により前記デスクトップの空き位置に１つずつ充填することは、
前記デスクトップ上の空き位置が足りるか否かを判定し、
前記デスクトップ上の空き位置が足りるとき、前記目標アイコンをユーザのアイコン選択順次により前記デスクトップの空き位置に１つずつ充填し、
前記デスクトップ上の空き位置が足りるとき、前記空き位置の個数及びユーザのアイコン選択順次により前記目標アイコンから充填アイコンを確定し、前記充填アイコンを前記ユーザのアイコン選択順次により前記デスクトップの空き位置に１つずつ充填することを特徴とする請求項１１に記載のアイコン整理装置。
【請求項１９】
前記予定イベントは、前記第１の予定領域にて２つのタッチポイントの相対移動イベント、或いは前記第１の予定領域にて１つのタッチポイントの一方向移動イベントであることを特徴とする請求項１１に記載のアイコン整理装置。
【請求項２０】
前記整理モジュールにおいてユーザからの整理指令により前記バッファ領域における整理しようとするアイコンに対して前記整理指令に対応する整理操作を実行した後、前記バッファ領域において前記整理操作を完了した整理しようとするアイコンを削除する削除モジュールをさらに備えることを特徴とする請求項１１〜１９の何れか１項に記載のアイコン整理装置。
【請求項２１】
１つ又は複数のプロセッサーと、
メモリと、
ディスプレイスクリーンと、
前記メモリに記憶され、前記１つ又は複数のプロセッサーによって実行されるように配置される１つ又は複数のモジュールと、を備え、前記１つ又は複数のモジュールは、
デスクトップの何れか１つのアイコンがクリックされることを検出したとき、バッファ領域を設立し、前記デスクトップの第１の予定領域を整理しようとするアイコンの表示領域として設置し、
ユーザが選択した少なくとも１つのアイコンを、整理しようとするアイコンとして標記して前記バッファ領域に保存し、前記第１の予定領域に表示させる機能と、
予定イベントがトリガされるとき、前記バッファ領域に保存される全ての整理しようとするアイコンの個数を表示させ、前記バッファ領域に保存される全ての整理しようとするアイコンを目標アイコンとし、
前記目標アイコンがクリックされるとき、前記目標アイコンをユーザのアイコン選択順次により前記デスクトップの空き位置に１つずつ充填し、
前記目標アイコンが予定時間よりも長く押圧されるとき、前記デスクトップの第２の予定領域を削除ツールの表示領域として表示させ、前記目標アイコンが前記第２の予定領域にドラッグされるとき、前記目標アイコンを削除し、前記目標アイコンに対応するアプリケーションをアンインストールし、
前記目標アイコンは前記デスクトップ上にアイコンが放置されている領域にドラッグされるとき、前記アイコンが放置されている領域に予定名を有するフォルダを生成し、前記放置されているアイコン及び前記目標アイコンを前記予定名を有するフォルダに放置し、
前記目標アイコンは前記デスクトップにおいてアイコンが放置されていない領域にドラッグされるとき、前記目標アイコンを前記ドラッグされる位置に充填し、或いは、前記アイコンを前記ドラッグされる位置に挿入して押し分けることで充填する機能とを有することを特徴とする機器。
【請求項２２】
プロセッサに実行されることにより、請求項１から請求項１０のいずれかに記載のアイコン整理方法を実現することを特徴とするプログラム。
【請求項２３】
請求項２２に記載のプログラムが記録された記録媒体。
【発明の詳細な説明】
【相互参照】
【０００１】
本願は、出願番号が２０１３１０１２０２８４．３であって、出願日が２０１３年４月８日である中国特許出願に基づき優先権を主張し、該中国特許出願の内容の全てを本願に援用する。
【技術分野】
【０００２】
本発明は、移動端末分野に関し、特に、アイコン整理方法、装置、機器、プログラム及び記録媒体に関する。
【背景技術】
【０００３】
知的移動端末は、発展につれて、ますますユーザに依頼されている。その知能性及び便利性のため、異なる機能を実現できるように、各種のＡＰＰ（Ａｐｐｌｉｃａｔｉｏｎ、第三者によるアプリケーションプログラム）、例えば、オフィス、ゲーム、撮像等のＡＰＰがネットワークに提供されている。
【０００４】
知的端末は、ユーザがＡＰＰをインストールした後、該ＡＰＰをクリックして開くために、デスクトップにアイコンを生成する。現在、ユーザは移動端末に大量のＡＰＰをインストールしているので、デスクトップに大量のアイコンが存在するようになっている。オペレーティングシステムは、例えば、アイコンを移動、削除、フォルダに放置する等のアイコンを整理する機能を提供している。
【０００５】
ところが、目前、アイコンを整理する操作が複雑である。アイコンを移動することを例として説明すると、ユーザが画面上の複数の整理しようとするアイコンを同時に移動しようとするとき、まず、移動端末のデスクトップを編集モードに入らせるようにトリガし、長押しにより１つの整理しようとするアイコンを選択し、そして、他の手で画面をスライドし、目標画面に達した場合、該整理しようとするアイコンを放置し、アイコンを１つずつ移動しなければならない。
【０００６】
よって、従来のアイコン整理方法は、整理しようとするアイコンを１つしか操作できず、要する整理操作が複雑で、操作時間も長い。
【発明の概要】
【０００７】
本発明は、アイコン整理方法、装置、機器、プログラム及び記録媒体を提供する。
【０００８】
一方では、本発明は、
バッファ領域を設立し、ユーザが選択したアイコンを整理しようとするアイコンとして標記して前記バッファ領域に保存するステップと、
ユーザからの整理指令により前記バッファ領域における整理しようとするアイコンに対して、前記整理指令に対応する整理操作を実行するステップと、を備える、アイコン整理方法を提供する。
【０００９】
他方では、本発明は、
バッファ領域を設立する設立モジュールと、
ユーザが選択したアイコンを整理しようとするアイコンとして標記して前記バッファ領域に保存する標記モジュールと、
ユーザからの整理指令により前記バッファ領域における整理しようとするアイコンに対して、前記整理指令に対応する整理操作を実行する整理モジュールと、を備える、アイコン整理装置を提供する。
【００１０】
さらに他方では、本発明は、
１つ又は複数のプロセッサーと、
メモリと、
ディスプレイスクリーンと、
前記メモリに記憶され、前記１つ又は複数のプロセッサーによって実行されるように配置される１つ又は複数のモジュール、とを備え、前記１つ又は複数のモジュールは、
バッファ領域を設立し、ユーザが選択したアイコンを整理しようとするアイコンとして標記して前記バッファ領域に保存する機能と、
ユーザからの整理指令により前記バッファ領域における整理しようとするアイコンに対して、前記整理指令に対応する整理操作を実行する機能と、を備える、機器を提供する。
またさらに他方では、本発明は、
プロセッサに実行されることにより、上記のアイコン整理方法を実現するプログラムを提供する。
またさらに他方では、本発明は、
上記プログラムが記録された記録媒体を提供する。
【００１１】
ここで、上記一般的な説明及び後続の明細記載は例示的なものに過ぎず、本発明を限定することができない。
【発明の効果】
【００１２】
本発明によれば、以下の作用効果を獲得できる。
本発明に係るアイコン整理方法、装置、機器、プログラム及び記録媒体によれば、整理しようとするアイコンを保存するためのバッファ領域を設立することにより、複数のアイコンに対する整理操作を許容でき、アイコン整理の操作が素早く、時間が節約されるとともに、バッファ領域によりユーザが選択した整理しようとするアイコンを一時的に保存することができるため、ユーザが複数のアイコンに対する整理操作の後悔を許容でき、アイコン操作がさらに人間化できる。
【図面の簡単な説明】
【００１３】
【図１】本発明の実施例に係るアイコン整理方法のフローチャートである。
【図２】本発明の実施例に係る他のアイコン整理方法のフローチャートである。
【図３】本発明の実施例に係る編集モードでユーザが何れか１つのアイコンをクリックした場合の概略図である。
【図４】本発明の実施例に係るバッチ整理モードがトリガされた場合の表示効果を示す図である。
【図５】本発明の実施例に係るユーザが複数のアプリケーションプログラムを選択した場合の整理しようとするアイコンの表示効果を示す図である。
【図６】本発明の実施例に係るユーザがバッチ整理モードでフォルダアイコンをクリックした表示効果を示す図である。
【図７】本発明の実施例に係るユーザがｎ個のアプリケーションプログラムのアイコンを選択した場合の表示効果を示す図である。
【図８】本発明の実施例に係るアイコンのバッチ整理モードでフォルダを閉じる操作を示す概略図である。
【図９】本発明の実施例に係る１つのアイコンの移動の表示効果を示す図である。
【図１０】本発明の実施例に係るある整理しようとするアイコンを長押ししている表示効果を示す図である。
【図１１】本発明の実施例に係る第１の予定領域において２つの指をピンチにすることで複数の整理しようとするアイコンを選択する表示効果を示す図である。
【図１２】本発明の実施例に係る複数の整理しようとするアイコンが選択されている効果を示す概略図である。
【図１３】本発明の実施例に係る複数の整理しようとするアイコンを含む前記目標アイコンをシングルクリックするときの表示効果を示す図である。
【図１４】本発明の実施例に係る空き位置が足りるときに複数の整理しようとするアイコンの充填を完了した表示効果を示す図である。
【図１５】本発明の実施例に係る空き位置が足りないときに複数の整理しようとするアイコンを充填する効果を示す図である。
【図１６】本発明の実施例に係るドラッグすることで画面上に目標アイコンのための挿入位置を選択する概略図である。
【図１７】本発明の実施例に係る挿入して押し分けることでアイコンを指の位置に充填する概略図である。
【図１８】本発明の実施例に係る目標アイコンをアイコンが放置されている領域にドラッグする操作を示す概略図である。
【図１９】本発明の実施例に係るフォルダを重ね合わせて生成する操作効果を示す概略図である。
【図２０】本発明の実施例に係るユーザが目標アイコンを削除ツールにドラッグする表示効果を示す図である。
【図２１】本発明の実施例に係るアンインストールを提示する効果を示す概略図である。
【図２２】本発明の実施例に係るバッチ整理モードでユーザがｗｉｄｇｅｔをクリックする表示効果を示す図である。
【図２３】本発明の実施例に係るアイコン整理装置の構造概略図である。
【発明を実施するための形態】
【００１４】
上述した図面は、本発明の明確な実施例を示しており、後続にさらに詳しく説明する。これらの図面及び記載は何れかの方式により本発明の範囲を限定するためではなく、特定の実施例を参考として本発明の概念を当業者に説明するためである。
【００１５】
以下、図面を組み合わせて、本発明の実施例に係るアイコン整理方法、装置及び機器の具体的な実施形態を詳しく説明する。
【００１６】
まず、図１に示すように、本発明の実施例は、アイコン整理方法を提供する。該方法は、下記ステップを備える。
【００１７】
Ｓ１０１、バッファ領域を設立し、ユーザが選択したアイコンを整理しようとするアイコンとして標記し、前記バッファ領域に保存する。
【００１８】
好ましい実施形態としては、ステップＳ１０１の前に、
デスクトップを編集状態に入らせ、前記デスクトップの第１の予定領域を、ユーザのためのプラグイン選択領域として設置するステップをさらに備える。
【００１９】
好ましくは、ステップＳ１０１は、
デスクトップのいずれか１つのアイコンがクリックされたと検出したとき、前記バッファ領域を設立し、前記デスクトップの第１の予定領域を前記整理しようとするアイコンの表示領域に設置し、
ユーザが選択した少なくとも１つのアイコンを整理しようとするアイコンとして標記して前記バッファ領域に保存し、前記第１の予定領域に表示させるように配置されてもよい。
【００２０】
好ましくは、前記ユーザが選択した少なくとも１つのアイコンを整理しようとするアイコンとして標記して前記バッファ領域に保存し、前記第１の予定領域に表示させるステップは、
ユーザがアイコンを選択する順次によりユーザが選択した少なくとも１つのアイコンを整理しようとするアイコンとして標記して前記バッファ領域に保存し、前記ユーザがアイコンを選択する順次により、前記ユーザが選択した少なくとも１つのアイコンを前記第１の予定領域に表示させるように配置されてもよい。
【００２１】
好ましくは、ユーザが選択したアイコンがフォルダアイコンである場合、前記ユーザが選択したアイコンを整理しようとするアイコンとして標記して前記バッファ領域に保存するステップは、
前記フォルダにおける全てのアイコンを表示させ、ユーザが選択した前記フォルダにおける少なくとも１つのアイコンを整理しようとするアイコンとして標記して前記バッファ領域に保存するように配置されてもよい。
【００２２】
好ましくは、前記ユーザが選択した前記フォルダにおける少なくとも１つのアイコンを整理しようとするアイコンとして標記して前記バッファ領域に保存した後、
前記フォルダの表示領域において前記全てのアイコン及びフォルダタイトル以外の表示領域がクリックされたと検出したとき、前記フォルダを閉じるステップをさらに備えてもよい。
【００２３】
Ｓ１０２、ユーザからの整理指令により、前記バッファ領域における整理しようとするアイコンに対して前記整理指令に対応する整理操作を実行する。
【００２４】
好ましくは、ステップＳ１０２は、
前記第１の予定領域における整理しようとするアイコンがクリックされたとき、前記クリックされたアイコンを目標アイコンとして前記デスクトップの第１の个空き位置に放置するように配置されてもよい。
【００２５】
好ましくは、ステップＳ１０２は、
前記第１の予定領域における何れか１つの整理しようとするアイコンが第１の予定時間よりも長く押圧されるとき、前記予定時間よりも長く押圧される整理しようとするアイコンを目標アイコンとして、前記デスクトップの第２の予定領域を削除ツールの表示領域として設置し、
前記目標アイコンが前記第２の予定領域へドラッグされるとき、前記目標アイコンを削除し、前記目標アイコンに対応するアプリケーションをアンインストールし、
前記目標アイコンが前記デスクトップにおいてアイコンのない位置にドラッグされるとき、前記ドラッグされる位置に前記目標アイコンを放置するか、或いは、挿入して押し分けることで前記ドラッグされる位置に前記アイコンを放置し、
前記目標アイコンが前記デスクトップにおいてアイコンのある領域にドラッグされるとき、前記アイコンのある領域に予定名を有するフォルダを生成し、前記放置されるアイコン及び前記目標アイコンを前記予定名を有するフォルダに放置するように配置されてもよい。
【００２６】
本発明の実施例では、前記挿入して押し分けることは、前記目標アイコンにおける複数の整理しようとするアイコンをデスクトップにおいてユーザが選択した位置（２つのアイコンの間）に連続に挿入し、前記２つのアイコンの間の空き位置がないか、或いは足りない場合、前記２つのアイコン及び隣接のアイコンを前後に押し分けることである。以下は贅言しない。
【００２７】
本実施例では、前記目標アイコンのために空き位置を提供するために、アイコンを先に後ろに押すことが好ましい。
【００２８】
好ましくは、ステップＳ１０２は、
予定イベントがトリガされるとき、前記バッファ領域に保存される全ての整理しようとするアイコンの個数を表示し、前記バッファ領域に保存される全ての整理しようとするアイコンを目標アイコンとし、
前記目標アイコンがクリックされるとき、前記目標アイコンを、ユーザがアイコンを選択する順次により前記デスクトップの空き位置に１つずつ放置し、
前記目標アイコンが第２の予定時間よりも長く押圧されるとき、前記デスクトップにおける第２の予定領域を削除ツールの表示領域として設置し、前記目標アイコンが前記第２の予定領域にドラッグされるとき、前記目標アイコンを削除し、前記目標アイコンに対応するアプリケーションをアンインストールし、
前記目標アイコンは前記デスクトップにおいてアイコンが放置されている領域にドラッグされるとき、前記アイコンが放置されている領域に予定名を有するフォルダを生成し、前記放置されているアイコン及び前記目標アイコンを前記予定名を有するフォルダに放置し、
前記目標アイコンは前記デスクトップにおいてアイコンが放置されていない領域にドラッグされるとき、前記ドラッグされる位置（即ち、ユーザの指の位置、デスクトップの空き位置又は何れか２つのアイコンの間）に前記目標アイコンを充填するか、或いは、挿入して押し分けることで前記ドラッグされる位置に前記アイコンを充填するように配置されてもよい。
【００２９】
好ましくは、上述した前記目標アイコンをユーザのアイコン選択順次により前記デスクトップの空き位置に１つずつ充填するステップは、
前記デスクトップの空き位置が足りるか否かを判定し、
前記デスクトップの空き位置が足りる場合、前記目標アイコンをユーザのアイコン選択順次により前記デスクトップの空き位置に１つずつ充填し、
前記デスクトップの空き位置が足りるとき、前記空き位置の個数及びユーザのアイコン選択順次により、前記目標アイコンから充填アイコンを確定し、前記充填アイコンを前記ユーザのアイコン選択順次により前記デスクトップの空き位置に１つずつ充填するように配置されてもよい。
【００３０】
本発明の実施例では、前記予定イベントは、前記第１の予定領域にて発生する２つのタッチポイントの相対移動イベント（例えば、２つの指のピンチ）、或いは、前記第１の予定領域にて発生する単一のタッチポイントの一方向移動イベント（例えば、１つの指により画面の縁部で前記第１の予定領域内における整理しようとするアイコンを押す）であるが、この２つのイベントに限らない。
【００３１】
好ましくは、ステップＳ１０２の後に、前記方法は、
前記バッファ領域において前記整理操作を完了した整理しようとするアイコンを削除するステップをさらに備える。
【００３２】
本発明の実施例に係るアイコン整理方法は、整理しようとするアイコンを保存するためのバッファ領域を設立することにより、複数のアイコンに対する整理操作を許容でき、アイコン整理の操作が素早く、時間が節約されるとともに、バッファ領域によりユーザが選択した整理しようとするアイコンを一時的に保存することができるため、ユーザが複数のアイコンに対する整理操作の後悔を許容でき、アイコン操作がさらに人間化できる。
【００３３】
本発明の実施例は、アイコン整理方法をさらに提供する。該方法は、移動端末のデスクトップ管理プログラムにおいて実現されることができる。ここで、アンドロイド携帯電話を例として具体的に説明する。図２に示すように、該方法は下記のステップを備える。
【００３４】
Ｓ２０１、デスクトップを編集モードに入らせる。
【００３５】
ここで、上述した編集モードは、従来技術に係る編集モードと同じである。つまり、デスクトップを編集可能な状態に入らせ、ユーザが画面において２つの指をピンチにすることで、デスクトップを編集モードに入らせる。
【００３６】
また、編集モードに入ることは、開発者又はユーザが予め設置した任意の方式によりトリガされることができる。例えば、デスクトップにおいて空白部分を長押し、選択メニューを介して編集モードに入る。
【００３７】
図３は、編集モードでユーザが何れか１つのアイコンをクリックする概略図である。画面では、トップ（即、第２の予定領域）は、プロンプト文字領域／削除領域（削除ツール）であり、中部は、現在画面のアプリケーションプログラムのアイコンを表示し、ユーザがアイコンを編集可能である現在画面のサムネイルであり、底部（即ち、第１の予定領域）は、ユーザが選択可能なＷｉｄｇｅｔ（例えば、フォルダ、プラグイン又はデスクトップウィジェット）を表示するデスクトップウィジェットのサムネイルである。
【００３８】
Ｓ２０２、ユーザがデスクトップの何れか１つのアイコンをクリックする場合、バッファ領域を設立し、画面の底部をバッファ領域の表示領域として設置する。
【００３９】
ここで、バッファ領域は、ユーザが選択した１つ又は複数の整理しようとするアイコンを保存するバッファ空間であり、ユーザによるアイコンバッチ整理、つまり、バッチ整理モードに入ることを協力するものである。
【００４０】
このバッチ整理モードのトリガ条件は、編集モードで何れか１つのアイコンがユーザにクリックされることである。
【００４１】
ここで、ユーザによるアイコンバッチ整理をさらに直観的にさせるために、バッチ整理モードがトリガされた後、元の第１の予定領域であるデスクトップのウィジェットのサムネイルの代わりに、対応するバッファ領域の表示領域を表示させ、該表示領域内にバッファ領域に保存される整理しようとするアイコンを表示させるとともに、現在画面のサムネイルにおける該整理しようとするアイコンを削除する。
【００４２】
図４は、バッチ整理モードがトリガされたときの表示効果を示す図であり、第１の予定領域の代わりに、選択されるアプリケーションプログラムのリストを表示させ、ユーザ体験を向上するために、ユーザが選択した第１の个アイコンが前記第１の予定領域に入る動画も表示させる。
【００４３】
Ｓ２０３、ユーザが選択した複数のアイコンを引き続いて受信し、ユーザが選択した複数のアイコンを整理しようとするアイコンとして標記し、前記バッファ領域に保存する。
【００４４】
ここで、ユーザが選択したアイコンを整理しようとするアイコンとして標記することは、
ユーザが選択したアイコンを前記バッファ領域に保存するとともに、画面上のこれらのアイコンを削除することである。
【００４５】
上記標記過程は、
ユーザが選択した整理しようとするアイコンが第１の予定領域に１つずつ入るように表される。
【００４６】
整理しようとするアイコンを標記する場合、ユーザの選択順次により標記することが好ましい。
【００４７】
図５は、ユーザが複数のアプリケーションプログラムを選択した場合の整理しようとするアイコンの表示効果を示す図である。
【００４８】
ここで、関連技術では、デスクトップのアイコンは、少なくともアプリケーションプログラムのアイコン及びフォルダアイコンを備える。
【００４９】
前記第１の予定領域において、ユーザがデスクトップにフォルダを素早く作成するために、１つのフォルダのアイコンをさらに表示させることが好ましい。
【００５０】
図６は、ユーザがバッチ整理モードでフォルダのアイコンをクリックする場合の表示効果を示す図である。
【００５１】
ユーザが選択したアイコンはフォルダである場合、ステップＳ２０３は、
前記フォルダにおける全てのアイコンを表示させ、ユーザが選択した前記フォルダにおけるアイコンを整理しようとするアイコンとして標記してバッファ領域に保存してもよい。それとともに、ユーザが選択したアプリケーションプログラムのアイコンの個数を画面のトップに表示させることが好ましい。
【００５２】
図７は、ユーザがｎ個のアプリケーションプログラムのアイコンを選択した場合の表示効果を示す図である。
【００５３】
好ましい実施例としては、ユーザがフォルダからアイコンを選択することは完了する場合、フォルダの表示領域のうち空白領域（フォルダにおいて、アプリケーションプログラムのアイコン及びフォルダタイトル以外の表示領域）をクリックすることにより、該フォルダを閉じることができる。
【００５４】
図８は、アイコンのバッチ整理モードにおいてフォルダを閉じる操作を示す概略図である。
【００５５】
Ｓ２０４、ユーザからの整理指令により、前記バッファ領域における整理しようとするアイコンに対して前記整理指令に対応する整理操作を実行する。
【００５６】
ユーザの各種の整理要求に応じて、本実施例は、異なる整理指令により、整理しようとするアイコンに対して異なる整理操作を実行可能な各種の整理方式を提供する。
【００５７】
好ましくは、上述整理指令は、
単一のアイコンの移動、単一のアイコンの削除、複数のアイコンの移動、複数のアイコンの削除等を少なくとも備える。
【００５８】
以下、上記４種類の指令を例として説明する。
【００５９】
（１）単一のアイコンの移動
【００６０】
ユーザが第１の予定領域における整理しようとするアイコンをクリック（例えばシングルクリック）する場合、このクリックされた整理しようとするアイコンを目標アイコンとして現在画面の第１の个空き位置に充填させるとともに、バッファ領域に保存されているこのクリックされた整理しようとするアイコンを削除する（第１の予定領域において、このクリックされた整理しようとするアイコンの表示をも削除する）。
好ましくは、シングルクリックにより第１の个空き位置に充填することは、このクリックされた整理しようとするアイコンが第１の予定領域から現在画面の第１の个空き位置へ上昇するように表れる。
【００６１】
ここで、前記空き位置は、画面の表示領域においてアイコンが放置されていない領域を指す。
【００６２】
図９は、単一のアイコンの移動を示す表示効果図である。
【００６３】
（２）単一のアイコンの削除
【００６４】
ユーザが長押ししている（予定時間以上にアイコンを押圧する）場合、この長押しされているアイコンを目標アイコンとして、第２の予定領域を、整理しようとするアイコンを削除するための削除ツールとして設置して表示させる。ユーザは該目標アイコンを削除ツールの表示領域にドラッグする場合、この目標アイコンを削除するとともに、該目標アイコンに対応するアプリケーションプログラムをアンインストールする。
【００６５】
図１０はある整理しようとするアイコンを長押ししている表示効果を示す図である。
【００６６】
また、長押しされているアイコンはデスクトップの空き位置又は何れか２つのアイコンの間にドラッグされる場合、空き位置を充填するか、或いは挿入して押し分けるように充填することもできる。
【００６７】
前記挿入して押し分けることは、デスクトップにユーザが選択した位置（２つのアイコンの間に）に前記目標アイコンにおける複数の整理しようとするアイコンを連続に挿入し、前記２つのアイコンの間の空き位置が存在していない場合や足りない場合に、前記２つアイコン及び隣接のアイコンを前後に押し分けることである。
【００６８】
本実施例では、前記目標アイコンのために空き位置を提供するために、まずアイコンを後ろに押し分けることが好ましい。
【００６９】
ここで、任意の整理操作では、第１の予定領域にて左右にスライドすることにより、前記バッファ領域におけるアイコンを表示させることができる。
【００７０】
（３）複数のアイコンの移動
【００７１】
複数のアイコンの移動中に、まず複数のアイコンを選択する必要がある。複数のアイコンを全て選択することをトリガする方式は、第１の予定領域にて２つの指をピンチにする方式であってもよい。
【００７２】
ここで、複数のアイコンを全て選択することをトリガする方式は、第１の予定領域にて２つの指をピンチにすることに限らず、任意の予め設定される方式、例えば、片指により画面の縁部にて前記第１の予定領域内における整理しようとするアイコンを推し進める方式やシェイク等であってもよい。
【００７３】
図１１は、第１の予定領域にて２つの指をピンチにすることにより複数の整理しようとするアイコンを選択する場合の表示効果を示す図である。
【００７４】
図１２は、複数の整理しようとするアイコンが選択されている場合の効果を示す概略図である。
【００７５】
好ましくは、図１２に示すように、複数の整理しようとするアイコンが選択された後、ｎ個のアイコンを重なり合うように表示させ、この重なり合う状のｎ個のアイコンを目標アイコンとする。ここで、ｎは、選択された整理しようとするアイコンの個数である。
【００７６】
ここで、複数のアイコンの移動中には、少なくとも下記の３種類の方式を含む。
【００７７】
方式一：
方式一は、少なくとも下記の２種類の状況を含む。
【００７８】
ａ）前記目標アイコンがユーザにシングルクリックされるとき、前記目標アイコンに含まれる複数の整理しようとするアイコンを、ユーザの選択順次（ステップＳ２０３における選択順次）により現在画面上の空き位置に充填する。
【００７９】
図１３は、複数の整理しようとするアイコンを含む前記目標アイコンをシングルクリックする場合の表示効果を示す図である。
【００８０】
空き位置を充填する場合に、現在画面における空き位置は、目標アイコンに含まれる複数の整理しようとするアイコンを放置することに足りるか否かを判定するステップをさらに備えることが好ましい。
【００８１】
空き位置が足りる場合、前記目標アイコンの充填が完了した後、前記デスクトップは編集モードに戻る。
【００８２】
図１４は、空き位置が足りる場合に複数の整理しようとするアイコンを充填した後の表示効果を示す図である。
【００８３】
空き位置が足りない場合、ユーザのアイコン選択順次により充填し、現在画面に充填できないのを前記第１の予定領域に戻させ、充填できない整理しようとするアイコンの個数を前記第２の予定領域に表示させる。
【００８４】
図１５は、空き位置が足りない場合に複数の整理しようとするアイコンを充填する効果図である。
【００８５】
ｂ）目標アイコンがユーザに長押したまま（予定時間以上に押圧される）、前記目標アイコンがデスクトップのサムネイル領域にドラッグされる場合、デスクトップのアイコンに前記目標アイコンを挿入して押し分ける。
【００８６】
好ましくは、前記挿入して押し分けることは、デスクトップにおいて、前記目標アイコンにおける複数の整理しようとするアイコンをユーザが選択した位置（２つのアイコンの間）に連続的に挿入し、前記２つのアイコンの間の空き位置が存在していないか、或いは足りない場合に、前記２つのアイコン及び隣接のアイコンを前後に押し分ける。
本実施例では、前記目標アイコンのために空き位置を提供するために、まずアイコンを後ろに押し分けることが好ましい。
【００８７】
図１６は、画面上に、ドラッグにより目標アイコンの插入位置を選択する概略図である。
【００８８】
図１７は、アイコンを挿入して押し分けることで指の位置に充填する概略図である。
【００８９】
ここで、ｂ）では、現在画面の空き位置は目標アイコンに備えられる複数の整理しようとするアイコンを放置することに足りるか否かを依然として判定する必要がある。空き位置が足りる場合、編集モードのホームページに戻る。空き位置が足りない場合、ユーザのアイコン選択順次によりアイコンを挿入して押し分けて、現在画面に充填できないアイコンが前記第１の予定領域に戻し、前記第２の予定領域において、挿入して押し付ける操作を行えない整理しようとするアイコンの個数を表示する。その空き位置が足りる場合及び足りない場合は図１３及び１４に示す状況と同じであるので、ここで、贅言しない。
【００９０】
方式二：
前記目標アイコンがユーザに長押したまま（予定時間以上に押圧される）、前記目標アイコンは、デスクトップに存在しているアプリケーションプログラムのアイコンの表示領域にドラッグされる場合、予定名を有するフォルダを生成し、前記目標アイコンに備えられる複数の整理しようとするアイコン及び前記存在しているアプリケーションプログラムのアイコンを、前記予定名を有するフォルダに放置する。
【００９１】
図１８は目標アイコンを存在しているアイコンの領域にドラッグする操作を示す概略図である。
【００９２】
図１９は、フォルダを重ね合わせて生成する操作効果を示す概略図である。
【００９３】
（４）複数のアイコンの削除
【００９４】
本発明の実施例では、複数のアイコンを削除することもできる。目標アイコンがユーザに長押しされる（予定時間以上に押圧される）場合、第２の予定領域（画面のトップ部）に削除ツールを表示させてもよい。
【００９５】
ユーザが前記目標アイコンを前記第２の予定領域にドラッグする場合、目標アイコンに対応するアプリケーションプログラムをアンインストールか否かをユーザに提示する。
【００９６】
図２０はユーザが目標アイコンを削除ツールにドラッグする表示効果を示す図である。
【００９７】
図２１はアンインストールを提示する効果を示す概略図である。
【００９８】
ユーザからのアンインストールメッセージを受信したと、目標アイコンを削除するとともに、前記目標アイコンに対応するアプリケーションを削除する。ユーザからのアンインストールを解消するメッセージを受信したと、前記目標アイコンを前記第１の予定領域に戻させる。バッチ整理モードの場合、画面上に配置されているｗｉｄｇｅｔを操作できないことが好ましい。
【００９９】
図２２は、バッチ整理モードにおいて、ユーザがｗｉｄｇｅｔをクリックする場合の表示効果を示す図である。
【０１００】
本発明の実施例に係るアイコン整理方法によれば、整理しようとするアイコンを保存するためのバッファ領域を設立することにより、複数のアイコンに対する整理操作を許容でき、アイコン整理の操作が素早く、時間が節約されるとともに、バッファ領域によりユーザが選択した整理しようとするアイコンを一時的に保存することができるため、ユーザが複数のアイコンに対する整理操作の後悔を許容でき、例えば、ユーザは複数の整理しようとするアイコンを選択した後、必ずしもある位置に放置するわけではなく、アイコン操作がさらに人間化できる。
【０１０１】
図２３に示すように、本発明の実施例は、アイコン整理装置を提供する。前記装置は、
バッファ領域を設立する設立モジュール３０１と、
ユーザが選択したアイコンを整理しようとするアイコンとして標記して前記バッファ領域に保存する標記モジュール３０２と、
ユーザからの整理指令により前記バッファ領域における整理しようとするアイコンに対して前記整理指令に対応する整理操作を実行する整理モジュール３０３と、を備える。
【０１０２】
好ましくは、前記装置は、
前記設立モジュール３０１がバッファ領域を設立する前に、デスクトップを編集状態に入らせ、前記デスクトップの第１の予定領域をユーザの選択のためのプラグイン選択領域として設置する編集入りモジュールをさらに備える。
【０１０３】
好ましくは、前記標記モジュール３０２は、
デスクトップの何れか１つのアイコンがクリックされたことを検出したとき、前記バッファ領域を設立し、前記デスクトップの第１の予定領域を前記整理しようとするアイコンの表示領域として設置する設立ユニットと、
ユーザが選択した少なくとも１つのアイコンを整理しようとするアイコンとして標記して前記バッファ領域に保存し、前記第１の予定領域に表示させる表示ユニットと、を備える。
【０１０４】
好ましくは、前記第１の操作ユニットは、ユーザのアイコン選択順次によりユーザが選択した少なくとも１つのアイコンを整理しようとするアイコンとして標記して前記バッファ領域に保存し、前記ユーザのアイコン選択順次により前記ユーザが選択した少なくとも１つのアイコンを前記第１の予定領域に順次に表示させる。
【０１０５】
好ましくは、ユーザが選択したアイコンがフォルダアイコンである場合、前記ユーザが選択したアイコンを整理しようとするアイコンとして標記して前記バッファ領域に保存することは、
前記フォルダにおける全てのアイコンを表示させ、ユーザが選択した前記フォルダにおける少なくとも１つのアイコンを整理しようとするアイコンとして標記して前記バッファ領域に保存することである。
【０１０６】
好ましくは、前記装置は、
前記標記モジュールはユーザが選択した前記フォルダにおける少なくとも１つのアイコンを整理しようとするアイコンとして標記して前記バッファ領域に保存した後、前記フォルダの表示領域において、前記全てのアイコン及びフォルダタイトル以外の表示領域がクリックされたことを検出したとき、前記フォルダを閉じる閉じモジュールをさらに備える。
【０１０７】
好ましくは、前記整理モジュール３０３は、前記第１の予定領域における整理しようとするアイコンがクリックされるとき、前記クリックされるアイコンを目標アイコンとして前記デスクトップの第１の个空き位置に放置するものである。
【０１０８】
好ましくは、前記整理モジュール３０３は、
前記第１の予定領域における何れか１つの整理しようとするアイコンが予定時間よりも長く押圧されるとき、前記予定時間よりも長く押圧される整理しようとするアイコンを目標アイコンとして、前記デスクトップにおける第２の予定領域を削除ツールの表示領域として設置する第１のトリガユニットと、
前記目標アイコンが前記第２の予定領域にドラッグされるとき、前記目標アイコンを削除し、前記目標アイコンに対応するアプリケーションをアンインストールする第１の整理ユニットと、
前記目標アイコンは前記デスクトップにおいてアイコンが放置されていない位置にドラッグされるとき、前記目標アイコンを前記ドラッグされる位置に充填するか、或いは、前記アイコンを挿入して押し分けることで前記ドラッグされる位置に充填する第２の整理ユニットと、
前記目標アイコンは前記デスクトップにアイコンが放置されている領域にドラッグされるとき、前記アイコンが放置されている領域に予定名を有するフォルダを生成し、前記放置されているアイコン及び前記目標アイコンを前記予定名を有するフォルダに放置する第３の整理ユニットと、を備える。
【０１０９】
好ましくは、前記整理モジュール３０３は、
予定イベントがトリガされるとき、表示前記バッファ領域に保存される全ての整理しようとするアイコンの個数を表示させ、前記バッファ領域に保存される全ての整理しようとするアイコンを目標アイコンとする第２のトリガユニットと、
前記目標アイコンがクリックされるとき、前記目標アイコンをユーザのアイコン選択順次により前記デスクトップの空き位置に１つずつ充填する第４の整理ユニットと、
前記目標アイコンが予定時間よりも長く押圧されるとき、前記デスクトップにおける第２の予定領域を削除ツールの表示領域として設置し、前記目標アイコンが前記第２の予定領域にドラッグされると、前記目標アイコンを削除するとともに、前記目標アイコンに対応するアプリケーションをアンインストールする第５の整理ユニットと、
前記目標アイコンは前記デスクトップにアイコンが放置されている領域にドラッグされるとき、前記アイコンが放置されている領域に予定名を有するフォルダを生成し、前記放置されているアイコン及び前記目標アイコンを前記予定名を有するフォルダに放置する第６の整理ユニットと、
前記目標アイコンは前記デスクトップにおいてアイコンが放置されていない領域にドラッグされるとき、前記目標アイコンを前記ドラッグされる位置に充填するか、或いは、前記アイコンを挿入して押し分けることで前記ドラッグされる位置に充填する第７の整理ユニットと、を備える。
【０１１０】
好ましくは、前記目標アイコンをユーザのアイコン選択順次により前記デスクトップの空き位置に１つずつ充填することは、
前記デスクトップにおける空き位置が足りるか否かを判定し、
前記デスクトップにおける空き位置が足りると、前記目標アイコンをユーザのアイコン選択順次により前記デスクトップの空き位置に１つずつ充填し、
前記デスクトップ上における空き位置が足りるとき、前記空き位置の個数及びユーザのアイコン選択順次により、前記目標アイコンから充填アイコンを確定し、前記充填アイコンを前記ユーザのアイコン選択順次により前記デスクトップにおける空き位置に１つずつ充填するように配置されてもよい。
【０１１１】
好ましくは、前記予定イベントは、前記第１の予定領域にて２つのタッチポイントの相対移動イベントであり、或いは、前記第１の予定領域にて１つのタッチポイントの一方向移動イベントである。
【０１１２】
好ましくは、前記装置は、
前記整理モジュールにおいてユーザからの整理指令により前記バッファ領域における整理しようとするアイコンに対して前記整理指令に対応する整理操作を実行した後、前記バッファ領域において前記整理操作を完了した整理しようとするアイコンを削除する削除モジュールを備える。
【０１１３】
本発明の実施例に係るアイコン整理用装置によれば、整理しようとするアイコンを保存するためのバッファ領域を設立することにより、複数のアイコンに対する整理操作を許容でき、アイコン整理の操作が素早く、時間が節約されるとともに、バッファ領域によりユーザが選択した整理しようとするアイコンを一時的に保存することができるため、ユーザが複数のアイコンに対する整理操作の後悔を許容でき、例えば、ユーザが複数の整理しようとするアイコンを選択した後、必ずしもある位置に放置するというわけではなく、アイコン操作がさらに人間化できる。
【０１１４】
また、本発明の実施例は、機器をさらに提供する。前記機器は、
１つ又は複数のプロセッサーと、
メモリと、
ディスプレイスクリーンと、
前記メモリに記憶され、前記１つ又は複数のプロセッサーによって実行されるように配置される１つ又は複数のモジュールと、を備え、前記１つ又は複数のモジュールは、
バッファ領域を設立し、ユーザが選択したアイコンを整理しようとするアイコンとして標記して前記バッファ領域に保存する機能と、
ユーザからの整理指令により前記バッファ領域における整理しようとするアイコンに対して前記整理指令に対応する整理操作を実行する機能とを有する。
【０１１５】
好ましくは、前記１つ又は複数のモジュールは、
前記バッファ領域を設立する前に、デスクトップを編集状態に入らせ、前記デスクトップにおける第１の予定領域をユーザの選択のためのプラグイン選択領域として設置する機能をさらに有する。
【０１１６】
好ましくは、前記バッファ領域を設立し、ユーザが選択したアイコンを整理しようとするアイコンとして標記して前記バッファ領域に保存することは、
デスクトップの何れか１つのアイコンがクリックされたと検出したとき、前記バッファ領域を設立し、前記デスクトップにおける第１の予定領域を前記整理しようとするアイコンの表示領域として設置し、
ユーザが選択した少なくとも１つのアイコンを整理しようとするアイコンとして標記して前記バッファ領域に保存し、前記第１の予定領域に表示させるように配置されてもよい。
【０１１７】
好ましくは、前記ユーザが選択した少なくとも１つのアイコンを整理しようとするアイコンとして標記して前記バッファ領域に保存し、前記第１の予定領域に表示することは、
ユーザのアイコン選択順次によりユーザが選択した少なくとも１つのアイコンを整理しようとするアイコンとして標記して前記バッファ領域に保存し、前記ユーザのアイコン選択順次により前記ユーザが選択した少なくとも１つのアイコンを前記第１の予定領域に１つずつ表示させるように配置されてもよい。
【０１１８】
好ましくは、ユーザが選択したアイコンはフォルダアイコンである場合、前記ユーザが選択したアイコンを整理しようとするアイコンとして標記して前記バッファ領域に保存することは、
前記フォルダにおける全てのアイコンを表示させ、ユーザが選択した前記フォルダにおける少なくとも１つのアイコンを整理しようとするアイコンとして標記して前記バッファ領域に保存するように配置されてもよい。
【０１１９】
好ましくは、前記１つ又は複数のモジュールは、
前記ユーザが選択した前記フォルダにおける少なくとも１つのアイコンを整理しようとするアイコンとして標記して前記バッファ領域に保存した後、前記フォルダの表示領域において前記全てのアイコン及びフォルダのタイトル以外の表示領域がクリックされたことを検出したとき、前記フォルダを閉じる機能をさらに有する。
【０１２０】
好ましくは、前記ユーザからの整理指令により前記バッファ領域における整理しようとするアイコンに対して前記整理指令に対応する整理操作を実行することは、
前記第１の予定領域における整理しようとするアイコンがクリックされるとき、前記クリックされるアイコンを目標アイコンとして前記デスクトップにおける第１の个空き位置に放置するように配置されてもよい。
【０１２１】
好ましくは、前記ユーザからの整理指令により前記バッファ領域における整理しようとするアイコンに対して前記整理指令に対応する整理操作を実行することは、
前記第１の予定領域における何れか１つの整理しようとするアイコンが予定時間よりも長く押圧されるとき、前記予定時間よりも長く押圧される整理しようとするアイコンを目標アイコンとして、前記デスクトップにおける第２の予定領域を削除ツールの表示領域として表示させ、
前記目標アイコンが前記第２の予定領域にドラッグされるとき、前記目標アイコンを削除するとともに、前記目標アイコンに対応するアプリケーションをアンインストールし、
前記目標アイコンは前記デスクトップにおいてアイコンが放置されていない位置にドラッグされるとき、前記目標アイコンを前記ドラッグされる位置に充填するか、或いは、前記アイコンを挿入して押し分けることで前記ドラッグされる位置に充填し、
前記目標アイコンが前記デスクトップにおいてアイコンが放置されている領域にドラッグされるとき、前記アイコンが放置されている領域に予定名を有するフォルダを生成し、前記放置されているアイコン及び前記目標アイコンを前記予定名を有するフォルダに放置するように配置されてもよい。
【０１２２】
好ましくは、前記ユーザからの整理指令により前記バッファ領域における整理しようとするアイコンに対して前記整理指令に対応する整理操作を実行することは、
予定イベントがトリガされるとき、前記バッファ領域に保存される全ての整理しようとするアイコンの個数を表示させ、前記バッファ領域に保存される全ての整理しようとするアイコンを目標アイコンとし、
前記目標アイコンがクリックされるとき、前記目標アイコンをユーザのアイコン選択順次により前記デスクトップの空き位置に１つずつ充填し、
前記目標アイコンが予定時間よりも長く押圧されるとき、前記デスクトップにおける第２の予定領域を削除ツールの表示領域として設置し、前記目標アイコンが前記第２の予定領域にドラッグされると、前記目標アイコンを削除するとともに、前記目標アイコンに対応するアプリケーションをアンインストールし、
前記目標アイコンは前記デスクトップ上にアイコンが放置されている領域にドラッグされるとき、前記アイコンが放置されている領域に予定名を有するフォルダを生成し、前記放置されているアイコン及び前記目標アイコンを前記予定名を有するフォルダに放置し、
前記目標アイコンは前記デスクトップにおいてアイコンが放置されていない領域にドラッグされるとき、前記目標アイコンを前記ドラッグされる位置に充填するか、或いは、前記アイコンを挿入して押し分けることで前記ドラッグされる位置に充填するように配置されてもよい。
【０１２３】
好ましくは、前記目標アイコンをユーザのアイコン選択順次により前記デスクトップの空き位置に１つずつ充填することは、
前記デスクトップ上の空き位置が足りるか否かを判定し、
前記デスクトップ上の空き位置が足りると、前記目標アイコンをユーザのアイコン選択順次により前記デスクトップの空き位置に１つずつ充填し、
前記デスクトップ上の空き位置が足りるとき、前記空き位置の個数及びユーザのアイコン選択順次により前記目標アイコンから充填アイコンを確定し、前記充填アイコンを前記ユーザのアイコン選択順次により前記デスクトップの空き位置に１つずつ充填するように配置されてもよい。
【０１２４】
好ましくは、前記予定イベントは、前記第１の予定領域にて２つのタッチポイントの相対移動イベント、或いは、前記第１の予定領域にて１つのタッチポイントの一方向移動イベントである。
【０１２５】
好ましくは、前記１つ又は複数のモジュールは、
前記ユーザからの整理指令により前記バッファ領域における整理しようとするアイコンに対して前記整理指令に対応する整理操作を実行した後、前記バッファ領域において前記整理操作を完了した整理しようとするアイコンを削除する機能をさらに有する。
【０１２６】
本発明の実施例に係る機器によれば、整理しようとするアイコンを保存するためのバッファ領域を設立することにより、複数のアイコンに対する整理操作を許容でき、アイコン整理の操作が素早く、時間が節約されるとともに、バッファ領域によりユーザが選択した整理しようとするアイコンを一時的に保存することができるため、ユーザが複数のアイコンに対する整理操作の後悔を許容でき、アイコン操作がさらに人間化できる。
【０１２７】
また、本実施例は不揮発性読み取り可能記憶媒体をさらに提供する。該記憶媒体には、１つ又は複数のモジュール（ｐｒｏｇｒａｍｓ）が記憶されている。この１つ又は複数のモジュールがタッチスクリーンを有する機器に用いられる場合、該機器は、
バッファ領域を設立し、ユーザが選択したアイコンを整理しようとするアイコンとして標記して前記バッファ領域に保存する機能と、
ユーザからの整理指令により前記バッファ領域における整理しようとするアイコンに対して前記整理指令に対応する整理操作を実行する機能とを有する。
【０１２８】
好ましくは、前記１つ又は複数のモジュールにより、機器は、
前記バッファ領域を設立する前に、デスクトップを編集状態に入らせ、前記デスクトップの第１の予定領域をユーザの選択のためのプラグイン選択領域として設置する機能を有する。
【０１２９】
好ましくは、前記バッファ領域を設立し、ユーザが選択したアイコンを整理しようとするアイコンとして標記して前記バッファ領域に保存することは、
デスクトップ上の何れか１つのアイコンがクリックされることを検出したとき、前記バッファ領域を設立し、前記デスクトップの第１の予定領域を前記整理しようとするアイコンの表示領域に設置し、
ユーザが選択した少なくとも１つのアイコンを整理しようとするアイコンとして標記して前記バッファ領域に保存し、前記第１の予定領域に表示させるように配置される。
【０１３０】
好ましくは、前記ユーザが選択した少なくとも１つのアイコンを整理しようとするアイコンとして標記して前記バッファ領域に保存し、前記第１の予定領域に表示させることは、
ユーザのアイコン選択順次によりユーザが選択した少なくとも１つのアイコンを整理しようとするアイコンとして標記して前記バッファ領域に保存し、前記ユーザのアイコン選択順次により前記ユーザが選択した少なくとも１つのアイコンを前記第１の予定領域に１つずつ表示させるように配置される。
【０１３１】
好ましくは、ユーザが選択したアイコンはフォルダアイコンである場合、前記ユーザが選択したアイコンを整理しようとするアイコンとして標記して前記バッファ領域に保存することは、
前記フォルダにおける全てのアイコンを表示し、ユーザが選択した前記フォルダにおける少なくとも１つのアイコンを整理しようとするアイコンとして標記して前記バッファ領域に保存するように配置される。
【０１３２】
好ましくは、前記１つ又は複数のモジュールにより、機器は、
前記ユーザが選択した前記フォルダにおける少なくとも１つのアイコンを整理しようとするアイコンとして標記して前記バッファ領域に保存した後、前記フォルダの表示領域において前記全てのアイコン及びフォルダのタイトル以外の表示領域がクリックされたことを検出したとき、前記フォルダを閉じる機能をさらに有する。
【０１３３】
好ましくは、前記ユーザからの整理指令により前記バッファ領域における整理しようとするアイコンに対して前記整理指令に対応する整理操作を実行することは、
前記第１の予定領域における整理しようとするアイコンがクリックされるとき、前記クリックされるアイコンを、目標アイコンとして前記デスクトップにおける第１の个空き位置に放置するように配置される。
【０１３４】
好ましくは、前記ユーザからの整理指令により前記バッファ領域における整理しようとするアイコンに対して前記整理指令に対応する整理操作を実行することは、
前記第１の予定領域における何れか１つの整理しようとするアイコンが予定時間よりも長く押圧されるとき、前記予定時間よりも長く押圧される整理しようとするアイコンを目標アイコンとして、前記デスクトップの第２の予定領域を削除ツールの表示領域として設置し、
前記目標アイコンが前記第２の予定領域にドラッグされるとき、前記目標アイコンを削除するとともに、前記目標アイコンに対応するアプリケーションをアンインストールし、
前記目標アイコンは前記デスクトップにおいてアイコンが放置されていない位置にドラッグされる場合、前記目標アイコンを前記ドラッグされる位置に充填するか、或いは、前記アイコンを挿入して押し分けることで前記ドラッグされる位置に充填し、
前記目標アイコンは前記デスクトップ上にアイコンが放置されている領域にドラッグされるとき、前記アイコンが放置されている領域に予定名を有するフォルダを生成し、前記放置されているアイコン及び前記目標アイコンを前記予定名を有するフォルダに放置するように配置される。
【０１３５】
好ましくは、前記ユーザからの整理指令により前記バッファ領域における整理しようとするアイコンに対して前記整理指令に対応する整理操作を実行することは、
予定イベントがトリガされるとき、前記バッファ領域に保存される全ての整理しようとするアイコンの個数を表示させ、前記バッファ領域に保存される全ての整理しようとするアイコンを目標アイコンとし、
前記目標アイコンがクリックされるとき、前記目標アイコンをユーザのアイコン選択順次により前記デスクトップの空き位置に１つずつ充填し、
前記目標アイコンが予定時間よりも長く押圧されるとき、前記デスクトップの第２の予定領域を削除ツールの表示領域として設置し、前記目標アイコンが前記第２の予定領域にドラッグされると、前記目標アイコンを削除するとともに、前記目標アイコンに対応するアプリケーションをアンインストールし、
前記目標アイコンは前記デスクトップ上にアイコンが放置されている領域にドラッグされるとき、前記アイコンが放置されている領域に予定名を有するフォルダを生成し、前記放置されているアイコン及び前記目標アイコンを前記予定名を有するフォルダ中に放置し、
前記目標アイコンは前記デスクトップにおいてアイコンが放置されていない領域にドラッグされるとき、前記目標アイコンを前記ドラッグされる位置に充填し、或いは、前記アイコンを挿入して押し分けることで前記ドラッグされる位置に充填するように配置される。
【０１３６】
好ましくは、前記目標アイコンをユーザのアイコン選択順次により前記デスクトップの空き位置に１つずつ充填することは、
前記デスクトップの空き位置が足りるか否かを判定し、
前記デスクトップの空き位置が足りる場合、前記目標アイコンをユーザのアイコン選択順次により前記デスクトップの空き位置に１つずつ充填し、
前記デスクトップ上の空き位置が足りる場合、前記空き位置の個数及びユーザのアイコン選択順次により前記目標アイコンから充填アイコンを確定し、前記充填アイコンを前記ユーザのアイコン選択順次により前記デスクトップの空き位置に１つずつ充填するように配置される。
【０１３７】
好ましくは、前記予定イベントは、前記第１の予定領域にて２つのタッチポイントの相対移動イベントであり、或いは、前記第１の予定領域にて１つのタッチポイントの一方向移動イベントである。
【０１３８】
好ましくは、前記１つ又は複数のモジュールにより、機器は、
前記根据ユーザからの整理指令により前記バッファ領域における整理しようとするアイコンに対して前記整理指令に対応する整理操作を実行した後、前記バッファ領域において前記整理操作を完了した整理しようとするアイコンを削除する機能をさらに有してもよい。
【０１３９】
本発明の実施例に係る記憶媒体が機器に用いられる場合、整理しようとするアイコンを保存するためのバッファ領域を設立することにより、複数のアイコンに対する整理操作を許容でき、アイコン整理の操作が素早く、時間が節約されるとともに、バッファ領域によりユーザが選択した整理しようとするアイコンを一時的に保存することができるため、ユーザが複数のアイコンに対する整理操作の後悔を許容でき、アイコン操作がさらに人間化できる。
【０１４０】
上記実施形態の記載によると、当業者が明瞭に分かるように、本発明の実施例がハードウェアにより実現されてもよいし、ソフトウェア及び必要の汎用ハードウェアプラットフォームにより実現されてもよい。このような理解に基づき、本発明の実施例の技術案はソフトウェアの形式であってもよい。該ソフトウェア製品は、本発明の各実施例に記載の方法を１台のコンピュータ機器（パーソナルコンピューター、サーバー、又はネットワーク機器等）に実行させる若干の指令を含む非揮発性記憶媒体（ＣＤ−ＲＯＭ、Ｕディスク、ポータブルハードディスク等）に記憶されてもよい。
【０１４１】
ここで、図面は優れる実施例の概略図だけであり、図面におけるモジュール又はプロセスは必ずしも本発明において必須のものではない。
【０１４２】
当業者が理解できるように、実施例に係る装置におけるモジュールは、実施例に記載のように実施例の装置に分布されてもよいし、本実施例と異なる１つ又は複数の装置に設けられてもよい。上述した実施例に係るモジュールを１つのモジュールとして合併してもよいし、複数のサブモジュールにさらに分解してもよい。
【０１４３】
上述した本発明の実施例に記載の番号は、説明だけのためであり、実施例の優劣を表すものではない。
【０１４４】
当業者は、本発明の精神及び範囲から逸脱しない前提で、本発明に対して様々な改善及び変形を行える。本発明のこれらの補正及び変形は本発明の特許請求の範囲及びその請求項に均等な技術の範囲内に属すると、本発明はこれらの変化及び変化を含むように意図する。
【図１】
0006029767.tif 000002
【図２】
0006029767.tif 000003
【図３】
0006029767.tif 000004
【図４】
0006029767.tif 000005
【図５】
0006029767.tif 000006
【図６】
0006029767.tif 000007
【図７】
0006029767.tif 000008
【図８】
0006029767.tif 000009
【図９】
0006029767.tif 000010
【図１０】
0006029767.tif 000011
【図１１】
0006029767.tif 000012
【図１２】
0006029767.tif 000013
【図１３】
0006029767.tif 000014
【図１４】
0006029767.tif 000015
【図１５】
0006029767.tif 000016
【図１６】
0006029767.tif 000017
【図１７】
0006029767.tif 000018
【図１８】
0006029767.tif 000019
【図１９】
0006029767.tif 000020
【図２０】
0006029767.tif 000021
【図２１】
0006029767.tif 000022
【図２２】
0006029767.tif 000023
【図２３】
0006029767.tif 000024